(57)【要約】【課題】座部が外れることなく移動させることができる浴槽台を提供すること。【解決手段】浴槽台１０は、複数の支持脚１２と、それら各支持脚１２の上部に跨がって設けられそれら各支持脚１２を連結するフレーム体１４と、そのフレーム体１４により支持される座部１３とを備える。座部１３は、フレーム体１４を上方から覆う天板部１５と、その天板部１５の周縁部から下方に延びフレーム体１４を側方から覆う側板部１６とを有する。座部１３は、フレーム体１４に係合されることにより当該フレーム体１４に着脱可能に取り付けられている。また、フレーム体１４は、その周縁部の一部が座部１３の側板部１６よりも下方に延出しており、その延出した部分により、浴槽台１０を移動させる際に把持する取っ手３１が形成されている。【選択図】図１
2020168317.tif 000002
【特許請求の範囲】
【請求項１】
複数の支持脚と、
それら各支持脚の上部に跨がって設けられ、それら各支持脚を連結する連結体と、
その連結体により支持されるとともに、前記連結体に係合されることにより当該連結体に着脱可能に取り付けられている座部と、を備える浴槽台において、
前記連結体には、その周縁側に前記浴槽台を移動させる際に把持する取っ手が設けられていることを特徴とする浴槽台。
【請求項２】
前記連結体には、その周縁部の一部により前記取っ手が形成されていることを特徴とする請求項１に記載の浴槽台。
【請求項３】
前記座部は、前記連結体を上方から覆う天板部と、その天板部の周縁部から下方に延び前記連結体を側方から覆う側板部とを有し、
前記連結体には、前記側板部よりも下方に延びた状態で前記取っ手が設けられていることを特徴とする請求項１又は２に記載の浴槽台。
【請求項４】
前記座部は、平面視にて長方形状とされ、
前記連結体は、矩形の外周枠部を有するフレーム体からなり、
前記外周枠部における４辺の各枠辺部のうち、前記座部の長辺側に配置された枠辺部に前記取っ手が設けられていることを特徴とする請求項１乃至３のいずれか一項に記載の浴槽台。
【請求項５】
前記座部は、前記連結体を上方から覆う天板部と、その天板部の周縁部から下方に延び前記連結体を側方から覆う側板部とを有し、
前記外周枠部は、前記側板部の内面に沿った矩形形状をなし、
前記外周枠部における４辺の各枠辺部のうち、前記座部の短辺側に配置された枠辺部には内側に凹むことで当該枠辺部と前記側板部との間に指を挿し入れ可能とする凹部が形成されていることを特徴とする請求項４に記載の浴槽台。
【請求項６】
前記座部は、前記連結体を上方から覆う天板部と、その天板部の周縁部から下方に延び前記連結体を側方から覆う側板部とを有し、
前記座部の長辺側に配置された前記枠辺部はその一部が前記側板部よりも下方に突出した板状をなす板部とされており、その板部を有して前記取っ手が形成されており、
前記取っ手には、前記板部の下縁部に沿って前記板部の裏側へ突出する突出部により指掛け部が形成されていることを特徴とする請求項４又は５に記載の浴槽台。
【発明の詳細な説明】
【技術分野】
【０００１】
本発明は、浴槽台に関する。
【背景技術】
【０００２】
従来より、浴室の洗い場や浴槽内において踏み台や腰掛け等として用いられる浴槽台が知られている。一般に、浴槽台は、複数の支持脚と、それら各支持脚の上端部を連結して設けられるフレーム体と、そのフレーム体により支持される座部とを備えている（例えば特許文献１参照）。
【０００３】
座部は、合成樹脂材料により形成され、フレーム体を上方から覆う天板部と、その天板部の周縁部から下方に延びフレーム体を側方から覆う側板部とを有している。また、座部は、フレーム体に係合される係合部を有し、その係合部の係合により当該フレーム体に着脱可能に取り付けられている。この場合、座部をフレーム体から取り外して座部の清掃等を行うことが可能となっている。
【先行技術文献】
【特許文献】
【０００４】
【特許文献１】特開２００３−１２５９６６号公報
【発明の概要】
【発明が解決しようとする課題】
【０００５】
ところで、使用者が浴室内において浴槽台を移動させる場合には、座部の縁、すなわち座部の側板部を持って移動させることになると考えられる。例えば、浴槽台を浴槽内に入れたり浴槽内から取り出したりする際には、座部の縁を持ってかかる作業を行うことになると考えられる。
【０００６】
しかしながら、上述したように、座部はフレーム体に対して着脱可能に取り付けられているため、座部を持って浴槽台を移動させる場合、座部がフレーム体から外れてしまうことが懸念される。
【０００７】
本発明は、上記事情に鑑みてなされたものであり、座部が外れることなく移動させることが可能な浴槽台を提供することを主たる目的とするものである。
【課題を解決するための手段】
【０００８】
上記課題を解決すべく、第１の発明の浴槽台は、複数の支持脚と、それら各支持脚の上部に跨がって設けられ、それら各支持脚を連結する連結体と、その連結体により支持されるとともに、前記連結体に係合されることにより当該連結体に着脱可能に取り付けられている座部と、を備える浴槽台において、前記連結体には、その周縁側に前記浴槽台を移動させる際に把持する取っ手が設けられていることを特徴とする。
【０００９】
本発明によれば、連結体に設けられた取っ手を持って浴槽台を移動させることができるため、浴槽台を移動させるに際し、座部が連結体から外れるのを防止することができる。
【００１０】
第２の発明の浴槽台は、第１の発明において、前記連結体には、その周縁部の一部により前記取っ手が形成されていることを特徴とする。
【００１１】
本発明によれば、連結体の一部を用いて取っ手が形成されているため、取っ手を連結体に設ける上で構成の簡素化を図ることができる。
【００１２】
第３の発明の浴槽台は、第１又は第２の発明において、前記座部は、前記連結体を上方から覆う天板部と、その天板部の周縁部から下方に延び前記連結体を側方から覆う側板部とを有し、前記連結体には、前記側板部よりも下方に延びた状態で前記取っ手が設けられていることを特徴とする。
【００１３】
本発明によれば、連結体の周縁側に、座部の側板部よりも下方に延びた状態で取っ手が設けられている。この場合、使用者が浴槽台を腰掛けとして使用したり踏み台として使用したりする際に、取っ手が邪魔になるのを抑制することができる。
【００１４】
第４の発明の浴槽台は、第１乃至第３のいずれかの発明において、前記座部は、平面視にて長方形状とされ、前記連結体は、矩形の外周枠部を有するフレーム体からなり、前記外周枠部における４辺の各枠辺部のうち、前記座部の長辺側に配置された枠辺部に前記取っ手が設けられていることを特徴とする。
【００１５】
一般に、浴槽台は、座部が平面視にて長方形状をなしている。かかる浴槽台を浴槽内で使用する場合、座部の各短辺が浴槽の長辺と平行となるように浴槽台を浴槽内に配置することになる。このため、座部の各短辺側においては、座部と浴槽の壁との間の間隔が小さくなることが考えられる。そこで、本発明では、この点に鑑み、フレーム体の外周枠部の各枠辺部のうち、座部の長辺側に配置された枠辺部に取っ手を設けている。この場合、取っ手を持って浴槽台を浴槽内に置いたり浴槽内から取り出したりする際に、取っ手を持ち易くすることができる。
【００１６】
また、使用者が浴槽内で上記の浴槽台に座る際には、足を座部の長辺側に向けて座ることになる。このため、取っ手が座部の長辺側に配置される上記の構成では、取っ手が使用者の足と同じ側に配置されることになる。したがって、上記の構成は、取っ手を持って浴槽台を浴槽内から引き出す際等において都合のよい構成となっている。
【００１７】
第５の発明の浴槽台は、第４の発明において、前記座部は、前記連結体を上方から覆う天板部と、その天板部の周縁部から下方に延び前記連結体を側方から覆う側板部とを有し、前記外周枠部は、前記側板部の内面に沿った矩形形状をなし、前記外周枠部における４辺の各枠辺部のうち、前記座部の短辺側に配置された枠辺部には内側に凹むことで当該枠辺部と前記側板部との間に指を挿し入れ可能とする凹部が形成されていることを特徴とする。
【００１８】
本発明によれば、座部の長辺側では、外周枠部の枠辺部に取っ手が設けられている一方、取っ手が設けられていない座部の短辺側では、外周枠部の枠辺部に内側に凹んだ凹部が形成されている。この場合、その凹部が形成されていることで、枠辺部と座部の側板部との間に指を挿し入れることが可能となっている。これにより、フレーム体に係合された座部を当該フレーム体から取り外す際に、枠辺部と側板部との間に指を挿し入れて、座部をフレーム体から取り外し易くすることが可能となる。
【００１９】
第６の発明の浴槽台は、第４又は第５の発明において、前記座部は、前記連結体を上方から覆う天板部と、その天板部の周縁部から下方に延び前記連結体を側方から覆う側板部とを有し、記座部の長辺側に配置された前記枠辺部はその一部が前記側板部よりも下方に突出した板状をなす板部とされており、その板部を有して前記取っ手が形成されており、前記取っ手には、前記板部の下縁部に沿って前記板部の裏側へ突出する突出部により指掛け部が形成されていることを特徴とする。
【００２０】
本発明によれば、取っ手が板状をなす板部を有しており、その取っ手には、板部の下縁部に沿って板部の裏側へ突出する突出部により指掛け部が形成されている。この場合、指掛け部に指を掛けて取っ手を持つことができるため、取っ手を持ち易くすることができる。
【図面の簡単な説明】
【００２１】
【図１】浴槽台を斜め上方から見た斜視図。
【図２】浴槽台を斜め下方から見た斜視図。
【図３】浴槽台を台部の長辺部側から見た側面図。
【図４】取っ手及び凹部の周辺を斜め下方から見た斜視図。
【図５】浴槽台を浴槽内に配置した状態を示す平面図。
【発明を実施するための形態】
【００２２】
以下に、本発明を具体化した一実施の形態について図面を参照しつつ説明する。なお、図１は浴槽台１０を斜め上方から見た斜視図であり、図２は浴槽台１０を斜め下方から見た斜視図である。
【００２３】
図１及び図２に示すように、浴槽台１０は、台部１１と、その台部１１を支持する複数の支持脚１２とを備える。台部１１は、平面視において矩形形状とされ、詳しくは長方形状とされている。これにより、台部１１は、平面視における４つの辺部のうち、２つの辺部が長辺部１１ａとなっており、残りの２つの辺部が短辺部１１ｂとなっている。また、台部１１の四隅にはそれぞれ支持脚１２が取り付けられている。
【００２４】
台部１１は、合成樹脂製の座部１３と、その座部１３を下方から支える金属製のフレーム体１４とを備える。座部１３は、天板部１５と、その天板部１５の周縁部から下方に延びる側板部１６とを有している。天板部１５は、平面視の形状が長方形状とされており、詳しくは、その四隅に天板部１５の対角線方向に張り出した張出部１５ａが形成されている。また、側板部１６は、天板部１５の周縁部に沿って環状に形成されている。
【００２５】
天板部１５の上面には座面シート１７が敷設されている。座面シート１７はクッション材により形成され、その上面が座面となっている。なお、座面シート１７は必ずしもクッション材により形成される必要はなく、ゴム材により形成されてもよい。
【００２６】
フレーム体１４は、アルミダイカストにより成形された平面視矩形の枠体からなる。フレーム体１４は、座部１３の天板部１５の下面側に設けられ、その周囲が側板部１６により囲まれた状態で配置されている。フレーム体１４は、矩形枠状をなす外周枠部２１を有している。外周枠部２１は、側板部１６の内面に沿って延びる４つ（４辺）の枠辺部２２，２３と、外周枠部２１の４隅に設けられた４つの筒状部２４とを有している。
【００２７】
各枠辺部２２，２３のうち、座部１３の長辺側に配置された一対の枠辺部２２は長辺側枠辺部２２となっており、座部１３の短辺側に配置された一対の枠辺部２３は短辺側枠辺部２３となっている。また、各筒状部２４は上下に延びる筒状をなしており、その筒状部２４により隣り合う枠辺部２２，２３同士が互いに連結されている。
【００２８】
なお、フレーム体１４は、外周枠部２１に加え、その外周枠部２１において対角に位置する筒状部２４同士を繋ぐとともに互いに交差した状態で接続される一対の繋ぎ部２５をさらに有している。これにより、フレーム体１４の強度向上が図られている。
【００２９】
フレーム体１４には、座部１３が着脱可能に取り付けられている。座部１３は、その天板部１５の下面側にフレーム体１４に係合可能な複数の係合部２６を有している。これらの係合部２６は、天板部１５の四隅付近にそれぞれ配置されている。座部１３は、その天板部１５がフレーム体１４の上に載置された状態で、各係合部２６がフレーム体１４の外周枠部２１に下方から係合されている。これにより、その係合によって、座部１３がフレーム体１４に着脱可能に取り付けられている。この場合、座部１３やフレーム体１４を清掃する際に、座部１３をフレーム体１４から取り外して清掃することが可能となっている。
【００３０】
支持脚１２は、上下方向に延びる筒状をなしており、金属製とされている。各支持脚１２は、その上端部がフレーム体１４の筒状部２４に挿入され、その挿入状態でフレーム体１４に取り付けられている。この場合、フレーム体１４が各支持脚１２を連結する連結体に相当する。また、各支持脚１２は、その脚長さがそれぞれ調整可能とされている。
【００３１】
各支持脚１２の下端部には脚ゴム２７が取り付けられている。脚ゴム２７には、その底面部に吸盤２８が設けられている。脚ゴム２７と吸盤２８とはゴム材による一体成形により形成されている。
【００３２】
ここで、本浴槽台１０には、使用者が浴槽台１０を移動させる際に把持するための取っ手３１が設けられている。取っ手３１は、台部１１における各長辺部１１ａにそれぞれ設けられている。本浴槽台１０では、この取っ手３１に関する構成に特徴を有しており、以下においてはその特徴的な構成について図３及び図４を用いながら説明する。図３は、浴槽台１０を台部１１の長辺部１１ａ側から見た側面図である。図４は、取っ手３１及び凹部３８の周辺を斜め下方から見た斜視図である。
【００３３】
図３及び図４に示すように、フレーム体１４の外周枠部２１の各長辺側枠辺部２２は、上側に座部１３の天板部１５が載置される載置板部２２ａと、その載置板部２２ａから下方に延び座部１３の側板部１６と対向する対向板部２２ｂとを有している。各長辺側枠辺部２２の対向板部２２ｂは座部１３の側板部１６よりも下方に延出した延出部分３２を有しており、それら各延出部分３２によりそれぞれ取っ手３１が形成されている。
【００３４】
各取っ手３１は、長辺側枠辺部２２の長手方向に延びる横長形状とされ、換言すると台部１１の長辺部１１ａに沿って延びる横長形状とされている。各取っ手３１は、長辺部１１ａにおける中間部に配置され、詳しくは中央部に配置されている。
【００３５】
各取っ手３１は、座部１３の側板部１６よりも下方に突出する板状をなす取っ手板部３３を備える。取っ手板部３３は、長辺部１１ａに沿って延びる横長形状とされ、全体として逆台形形状とされている。これにより、取っ手板部３３は、長辺部１１ａに沿う方向（以下、長辺方向という）の長さが下方に向かうにつれて小さくなっている。なお、取っ手板部３３が「板部」に相当する。
【００３６】
詳しくは、取っ手板部３３は、長辺方向に延びる下縁部３３ａと、その下縁部３３ａの両端部からそれぞれ上方に延びる一対の側縁部３３ｂとを有しており、各側縁部３３ｂが上側に向かうにつれ互いに離間するように傾斜して延びている。より詳しくは、下縁部３３ａの両端部にはそれぞれ円弧状をなす円弧部３３ｃが形成され、その円弧部３３ｃを介して下縁部３３ａが側縁部３３ｂと滑らかに接続されている。
【００３７】
取っ手板部３３には、その下縁部３３ａに沿って延び取っ手板部３３の裏側に突出する突出部３５が設けられている。本取っ手３１においてはこの突出部３５により指掛け部３６が形成されている。これにより、その指掛け部３６に指を掛けて取っ手３１を持つことが可能となっている。
【００３８】
また、突出部３５は、下縁部３３ａと各側縁部３３ｂと（円弧部３３ｃと）に連続して形成されており、詳しくは下縁部３３ａの全域と各側縁部３３ｂの全域とに亘って連続して形成された突条部とされている。また、取っ手板部３３の表側の面は突出部３５にかけて曲面状をなしており、詳しくは突出部３５にかけて円弧状をなす円弧面とされている。
【００３９】
フレーム体１４の外周枠部２１の各短辺側枠辺部２３は、上側に座部１３の天板部１５が載置される載置板部２３ａと、その載置板部２３ａから下方に延び座部１３の側板部１６と対向する対向板部２３ｂとを有している。各短辺側枠辺部２３の対向板部２３ｂにはフレーム内側に向けて凹んだ凹部３８が形成されている。凹部３８は、短辺側枠辺部２３の中央部に形成され、フレーム内側に凸となる円弧状をなすように凹んでいる。この凹部３８により対向板部２３ｂと側板部１６との間には所定の隙間が形成されており、その隙間により指を挿し入れ可能な挿し入れ部３９が形成されている。これにより、フレーム体１４に係合された座部１３を当該フレーム体１４から取り外す際には、この挿し入れ部３９に指を挿し入れて座部１３を取り外すことが可能となっている。
【００４０】
以上のように、本浴槽台１０では、台部１１の各長辺部１１ａにそれぞれ取っ手３１が設けられている一方、台部１１の各短辺部１１ｂにはそれぞれ指を挿し入れ可能な挿し入れ部３９（凹部３８）が設けられている。
【００４１】
続いて、浴槽台１０の使用方法について図５を用いながら説明する。図５は、浴槽台１０を浴槽内に配置した状態を示す平面図である。
【００４２】
図５に示すように、浴槽台１０を浴槽４５内で使用する場合には、台部１１の各短辺部１１ｂが浴槽４５の長辺と平行となるように浴槽台１０を浴槽４５内に配置する。この場合、浴槽台１０は、台部１１の各短辺部１１ｂが浴槽４５の壁４５ａ（周壁）に近接した状態で配置される。浴槽台１０を浴槽４５内に配置する際には、取っ手３１を持って浴槽台１０を浴槽４５内に移動させ配置する。この場合、取っ手３１は台部１１の長辺部１１ａに設けられているため、取っ手３１が持ち易くなっている。
【００４３】
浴槽台１０を浴槽４５内に配置した後、浴槽台１０を浴槽４５の底面４５ｂに上方から押し付けることで、浴槽台１０の下端に設けられた吸盤２８を底面４５ｂに対して吸着させる。これにより、浴槽台１０が底面４５ｂに対して固定された状態となる。
【００４４】
使用者Ｕは浴槽４５内に配置された浴槽台１０を踏み台として利用したり、腰掛けとして利用したりすることができる。例えば使用者Ｕが浴槽台１０を腰掛けとして使用する場合、使用者Ｕは台部１１の長辺部１１ａの側に足を配置した状態で台部１１上に座ることになる。この場合、使用者Ｕの足が配置される長辺部１１ａ側には上述したように取っ手３１が設けられている。このため、使用者Ｕが取っ手３１を持って浴槽台１０を浴槽４５から取り出す際に好都合となっている。
【００４５】
以上、詳述した本実施形態の構成によれば、以下の優れた効果が得られる。
【００４６】
フレーム体１４の外周枠部２１に取っ手３１を設けたため、その取っ手３１を持って浴槽台１０を移動させることができる。これにより、浴槽台１０を移動させるに際し、座部１３がフレーム体１４から外れてしまうのを防止することができる。
【００４７】
また、浴槽台１０は吸盤２８を用いて浴槽４５の底面４５ｂに固定されるため、浴槽台１０を浴槽４５から引き上げる際には比較的大きな力で引き上げる必要がある。このため、例えば座部１３の縁（側板部１６）を持って浴槽台１０を引き上げるとなると、座部１３がフレーム体１４から外れてしまうことが大いに想定される。この点、外周枠部２１に取っ手３１を設けたことで、その取っ手３１を持って浴槽台１０を引き上げることができるため、かかる引き上げの際においても座部１３がフレーム体１４から外れてしまうのを防止することができる。
【００４８】
外周枠部２１の一部、具体的にはその枠辺部２２の一部を座部１３の側板部１６よりも下方に延出させ、その延出させた延出部分３２により取っ手３１を形成した。この場合、取っ手３１をフレーム体１４に設ける上で構成の簡素化を図ることができる。
【００４９】
フレーム体１４の周縁側に、座部１３の側板部１６よりも下方に延出させた状態で取っ手３１を設けたため、使用者が浴槽台１０を腰掛けとして使用したり踏み台として使用したりする際に、取っ手３１が邪魔になるのを抑制することができる。
【００５０】
座部１３の長辺側では、外周枠部２１の枠辺部２２に取っ手３１を設ける一方、座部１３の短辺側では、外周枠部２１の枠辺部２３にフレーム内側に凹んだ凹部３８を形成した。この場合、その凹部３８が形成されていることで、枠辺部２３と座部１３の側板部１６との間に指を挿し入れ可能な挿し入れ部３９が形成されている。これにより、フレーム体１４に係合された座部１３を当該フレーム体１４から取り外す際に、その挿し入れ部３９に指を挿し入れて、座部１３をフレーム体１４から取り外し易くすることが可能となる。
【００５１】
取っ手３１には、取っ手板部３３の下縁部３３ａに沿って取っ手板部３３の裏側へ突出する突出部３５が形成され、その突出部３５により指掛け部３６が形成されている。この場合、その指掛け部３６に指を掛けて取っ手３１を持つことができるため、取っ手３１を持ち易くすることができる。
【００５２】
本発明は上記実施形態に限らず、例えば次のように実施されてもよい。
【００５３】
・上記実施形態では、取っ手３１をフレーム体１４の一部を用いて形成したが、これを変更して、取っ手をフレーム体１４とは別体で形成し、その取っ手をフレーム体１４にねじ等の固定部材を用いて固定するようにしてもよい。この場合にも、浴槽台１０を移動させる際、取っ手を持つことで、座部１３がフレーム体１４から外れるのを防止することができる。
【００５４】
・また、取っ手をフレーム体１４とは別体で形成する場合、その取っ手を板状に形成してもよいし、棒状に形成してもよい。例えば、取っ手を棒状に形成する場合、棒材を下方に凸となるように折り曲げることで取っ手を形成することが考えられる。この場合、棒材の上端側をフレーム体１４の外周枠部２１に固定し、棒材において凸部を含む下側部分を座部１３の側板部１６よりも下方に延出させ取っ手とする。この場合、取っ手における上記凸部を持って浴槽台１０を移動させることが可能となる。
【００５５】
また、取っ手をフレーム体１４とは別体で形成する場合、取っ手をフレーム体１４と異なる金属材料により形成したり、又は樹脂材料により形成したりしてもよい。
【００５６】
・上記実施形態では、取っ手３１を座部１３の各長辺側にそれぞれ設けたが、取っ手３１を座部１３の各長辺側のうち一方にのみ設けるようにしてもよい。また、取っ手３１を座部１３の長辺側に設けることに代えて又は加えて、座部１３の短辺側に設けるようにしてもよい。
【００５７】
・上記実施形態では、座部１３を平面視において長方形状としたが、これを変更して、正方形状としてもよい。その場合、フレーム体１４の外周枠部２１の各枠辺部のうちいずれかの枠辺部に取っ手３１を設ければよい。
【００５８】
・上記実施形態では、取っ手３１をフレーム体１４において下方に突出するように設けたが、これを変更して、取っ手３１をフレーム体１４において側方に突出するように設けてもよい。例えば、フレーム体１４の外周枠部２１（長辺側枠辺部２２）の一部を座部１３の側板部１６よりも下方に延出させるとともに、その延出部分からさらに側方（浴槽台１０の外側）に向けて延出させた延出部分を設け、その延出部分により取っ手を形成することが考えられる。
【００５９】
また、取っ手をフレーム体１４において上方に突出するように設けてもよい。この場合、例えば座部１３の天板部１５に取っ手を挿通させる孔部を形成し、その孔部を通じてフレーム体１４とは別体からなる取っ手を当該フレーム体１４に取り付ける構成が考えられる。
【００６０】
・上記実施形態では、取っ手板部３３の裏側に突出する突出部３５を取っ手板部３３の下縁部３３ａと各側縁部３３ｂとに連続させて形成したが、これを変更して、突出部３５を取っ手板部３３の下縁部３３ａにのみ形成してもよい。その場合にも、突出部３５により指掛け部３６が形成されるため、その指掛け部３６に指を掛けながら取っ手３１を持つことができる。
【００６１】
なお、取っ手板部３３の裏側に突出部３５（指掛け部３６）を設けないようにしてもよい。
【００６２】
・上記実施形態では、各支持脚１２を連結する連結体としてのフレーム体１４をアルミダイカスト（鋳造）により形成したが、連結体は必ずしも鋳造によって形成する必要はない。例えば、連結体を、鋼板により形成したり、パイプ材を組み合わせて形成したりしてもよい。これらの場合にも、連結体の周縁側に取っ手を設けることで、上記実施形態と同様の効果を得ることができる。また、連結体を鋼板により形成する場合、その鋼板の周縁部の一部を座部１３の側板部１６よりも下方に延出させることで取っ手を形成するようにしてもよい。
【符号の説明】
【００６３】
１０…浴槽台、１１…台部、１２…支持脚、１３…座部、１４…フレーム体、２１…外周枠部、２２…枠辺部、２３…枠辺部、３１…取っ手、３２…延出部分、３３…取っ手板部、３３ａ…下縁部、３５…突出部、３６…指掛け部、３８…凹部。
【図１】
2020168317.tif 000003
【図２】
2020168317.tif 000004
【図３】
2020168317.tif 000005
【図４】
2020168317.tif 000006
【図５】
2020168317.tif 000007